(57)【要約】【課題】携帯情報機器は地球環境問題、資源節約の見地からリサイクル使用を要求されている。このため樹脂のリサイクル方法は樹脂中に含有するガラス繊維を除去するために、樹脂に溶剤を添加し、樹脂を加熱溶解している。この溶解した樹脂と未溶解のガラス繊維とを互いに分離させている。しかしながら、樹脂を溶解するための熱が樹脂の性能、具体的には強度を低下させる。【解決手段】溶剤に反応することがない母材樹脂と、この母材樹脂中に含有する強化材とよりなり、この強化材は前記溶剤に反応することがない強化部材の周囲を、前記溶剤に反応して溶解するコーティング材により被覆してなる樹脂を提供する。【選択図】  図１
2004244574.tif 000002
【特許請求の範囲】
【請求項１】
溶剤に反応することがない母材樹脂と、
この母材樹脂中に含有する強化材とよりなり、
この強化材は前記溶剤に反応することがない強化部材の周囲を、前記溶剤に反応して溶解するコーティング材により被覆されてなることを特徴とする樹脂。
【請求項２】
強化部材をコーティング材により被覆した強化材を含有してなる母材樹脂を粉砕する工程と、
前記コーティング材にのみ反応して溶解する溶剤により、母材樹脂と強化材とを分離する工程とを含むことを特徴とする母材樹脂と強化部材とを分離する方法。
【請求項３】
コーティング材の少なくとも一部が母材樹脂の粉砕面に露出するように粉砕することを特徴とする請求項２記載の母材樹脂と強化部材とを分離する方法。
【発明の詳細な説明】
【０００１】
【発明の属する技術分野】
本発明は成形品に使用される樹脂に係り、詳細には強化材を含有してなる樹脂に関する。
【０００２】
【従来の技術】
最近、情報機器、携帯電話器等は高性能、軽量化が望まれている。特に軽量化に伴って、情報機器、携帯電話器等の筐体は薄肉化になっている。このために筐体材料は薄肉成形を可能で、且つ高強度の材料を使用する。具体的には樹脂中にガラス繊維、炭素繊維、マイカ等の強化材を混入した樹脂である。
【０００３】
一方、携帯情報機器は地球環境問題、資源節約の見地からリサイクル使用を要求されている。このための技術として下記特許文献１に記載された技術がある。
【０００４】
特許文献１に開示されている樹脂のリサイクル方法は樹脂中に含有するガラス繊維等の強化材を分離するために、樹脂に溶剤を添加し、樹脂を加熱溶解している。この溶解した樹脂と未溶解のガラス繊維とを互いに分離させている。
【０００５】
【特許文献１】
特開２０００  ８０１９９号公報
【０００６】
【発明が解決しようとする課題】
しかしながら、母材樹脂と強化材との分離時に樹脂を溶解する熱が樹脂の性能、具体的には強度を低下させる。
【０００７】
本発明の目的は樹脂の強度低下を防止するものである。
【０００８】
【課題を解決するための手段】
本発明の樹脂は、溶剤に反応することがない母材樹脂中に、前記溶剤に反応することがない強化部材の周囲を、該溶剤に反応して溶解するコーティング材を被覆した強化材を含有する。従って溶剤によりコーティング材を溶解することにより、母材樹脂と強化材とを分離することができる。このため母材樹脂を加熱溶解して分離する従来方法で問題とされた樹脂の強度低下を防止できる。
【０００９】
【発明の実施の形態】
次に、本発明の実施例について説明する。
【００１０】
図１は本実施形態に係る樹脂の構成を表す。
図１に示すように、１は樹脂、２は母材樹脂、３は強化材、３１は強化部材、３２はコーティング材である。図は容易に理解できるように１つの強化材３のみを記載している。しかし実際は複数存在する。
【００１１】
樹脂１は母材樹脂２内に強化材３を含有している。この強化材３はコーティング材３２で強化部材３１の全周囲を被覆したものである。この母材樹脂２は具体的には６ＰＡ樹脂（三菱エンジニアリングプラスチックス株の商品名ノバミッド）である。コーティング材３２は例えばＡＢＳ樹脂（旭化成株の商品名スタイラック）である。このコーティング材３２と母材樹脂２とは相溶性がより低い材料を選択することが好ましい。強化部材３１は具体的にガラス繊維（旭ガラス株製のガラスファイバー）である。その他の強化部材３１として炭素繊維、マイカ等を使用できる。
【００１２】
＜強化材の製造方法＞
（１）まず、溶解したコーティング材３２を満たした容器が準備される。この容器に強化部材３１を浸漬する。所定時間後、容器から出し乾燥させる。従って強化部材３１の全周囲面をコーティング材３２で被覆された強化材３が製造できた。詳細には強化部材３１の形状は太さ約Φ１０μｍ×長さ約３ｍｍのガラス繊維である。このガラス繊維の全周囲面が膜厚２０〜３０μｍのコーティング材３２で被覆されている。
【００１３】
＜樹脂成形品の製造＞
（２）射出成形機（住友重機械工業株の商品名サイキャップ）を使用して成形品を製造した。この射出成形機は大略供給部、部材混合部、部材加熱部、射出部とから構成されている。この供給部に母材樹脂２と前述した強化材３とを供給した。そして部材混合部で互いを均一に混合した。次に部材加熱部で加熱溶融する。従って母材樹脂２が溶融した樹脂１ができる。続いて金型内のキャビティ内に射出する。
（３）そして金型を所望温度に冷却し樹脂１を固形化する。この後、金型を開放してキャビティ内の成形品を取り出す。
【００１４】
＜母材樹脂と強化部材とを分離する方法方法＞
ユーザーからリサイクル用に回収された情報機器、携帯電話器等の製品の内、例えば筐体の樹脂および成形途中で発生した端材樹脂をリサイクルするものである。具体的にはこれらの樹脂を母材樹脂と強化部材とを分離するものである。
（４）この樹脂１を粉砕してチップ状態にする。つまり強化材３の少なくとも一部が母材樹脂３の破砕面に露出する寸法である。具体的には強化部材３１の長さ約３ｍｍ以下に粉砕する。
【００１５】
図２は本実施形態に係る樹脂の溶解状態を表す模式断面図である。図は理解し易いように実寸より強化材３を誇張して図示されている。
（５）続いて溶剤１１が満たされた容器１０内にチップ状態の樹脂１を所定時間だけ浸漬する。この溶剤１１は具体的にはトルエンであり、強化部材３１を被覆したコーティング材３２のみを溶解する。しかし溶剤１１は母材樹脂２、強化部材３１を溶解しない。溶剤１１に浸漬している期間中、この溶剤１１を攪拌機で攪拌し、容器１０に超音波振動機にて超音波を加振してもよい。これによりコーティング材３２の溶解速度が加速される。そしてコーティング材３２の溶解が進行し、強化部材３１と母材樹脂２との分離が進行する。詳細には、溶剤１０に溶解したコーティング材３２の場所が徐々に空隙状態となる。やがて溶解した部分が進行して空隙部３３が拡張され、この空隙部３３から強化部材３１が逸脱する。従って母材樹脂２と強化材３とが分離する。換言すると母材樹脂２、強化部材３１、コーティング材３２とが分離する。コーティング材３２と母材樹脂２とは相溶性が低いものを選択した場合には、更に効率良く分離される。
（６）次にコーティング材３２と母材樹脂２と強化部材３１とを分別回収する。具体的には最初に溶剤１１に溶けたコーティング材３２を濾過器で濾して分別回収する。濾過器は具体的にはフルイである。このフルイの濾過サイズは溶けたコーティング材３２を濾過し、チップ状態の母材樹脂２と強化部材３１とを濾過させないサイズである。
（７）続いて母材樹脂２と強化部材３１とを分別回収する。具体的には塩分濃度を調整した比重１．２〜１．８の塩水を準備する。この母材樹脂２の比重は約１であり、強化部材３１の比重は約３である。そして容器１０にこの塩水を満たす。従って強化部材３１が容器１０の低部に堆積して、母材樹脂２が上部に浮上する。上部及び下部に分別した母材樹脂２と強化部材３１とは容易に分別回収できる。
（８）これら母材樹脂２、強化部材３１とは再度資源活用が可能である。
【００１６】
表１に実施例１、２、３の母材樹脂２、コーティング材３２と溶剤１１を列記している。これら実施例２、３の各材料を選択しても、前述した同様な効果が得られる。
【００１７】
【表１】
2004244574.tif 000003
【００１８】
（付記１）  溶剤に反応することがない母材樹脂と、この母材樹脂中に含有する強化材とよりなり、この強化材は前記溶剤に反応することがない強化部材の周囲を、前記溶剤に反応して溶解するコーティング材により被覆されてなることを特徴とする樹脂。（請求項１）
（付記２）  強化部材をコーティング材により被覆した強化材を含有してなる母材樹脂を粉砕する工程と、前記コーティング材にのみ反応して溶解する溶剤により、母材樹脂と強化材とを分離する工程とを含むことを特徴とする母材樹脂と強化部材とを分離する方法。（請求項２）
（付記３）  コーティング材の少なくとも一部が母材樹脂の粉砕面に露出するように粉砕することを特徴とする付記２記載の母材樹脂と強化部材とを分離する方法。（請求項３）
（付記４）  付記１に記載の母材樹脂は６ＰＡ樹脂、ポリアミド樹脂、ポリブチレンテレフタレート樹脂の内の少なくとも１つから成ることを特徴とする樹脂。
【００１９】
（付記５）  付記１に記載のコーティング材はＡＢＳ樹脂、ポリスチレン樹脂の内の少なくとも１つから成ることを特徴とする樹脂。
【００２０】
（付記６）  付記１に記載の溶剤はトルエン、酢酸エチルの少なくとも１つから成ることを特徴とする樹脂。
【００２１】
【発明の効果】
本発明によれば、母材樹脂を加熱溶融して分解することによる樹脂の強度低下を防止できる。
【図面の簡単な説明】
【図１】本実施形態に係る樹脂の構成図である。
【図２】本実施形態に係る樹脂の溶解状態を表す模式断面図である。
【符号の説明】
１  リサイクル容易な樹脂、
２  母材樹脂、
３  強化材、
３１  強化部材、
３２  コーティング材、
３３  空隙部、
１０  容器、
１１  溶剤、
【図１】
2004244574.tif 000004
【図２】
2004244574.tif 000005